(57)【要約】      （修正有）【課題】高価な駆動装置を必要とせず、ＭＲＩ装置などの磁場環境下においても、磁場を乱すことなく使用することができるシリンジホルダ、薬液注入装置、薬液注入装置の使用方法を提供することを目的とする。【解決手段】薬液注入装置１は非磁性体からなるシリンジホルダ４と、シリンジホルダ４に形成された凹部４２に嵌挿された駆動流体が充填された第１のシリンジ２、薬液が充填された第２のシリンジ３を有する。第１のシリンジ２の第１の小径孔部には、可撓管５を介して駆動流体を第１のシリンジ２に送るシリンジポンプ６が接続されている。この状態で、シリンジポンプ６から送られた駆動流体が第１のシリンジ２に吸入されると、第１のシリンジ２の第１のプランジャー部２２が軸方向に移動し、それに伴い、第２のシリンジ３に充填されている薬液が第２の小径孔部３１１から吐出される。【選択図】図１
2018122034.tif 000002
【特許請求の範囲】
【請求項１】
一端から他端に向けて一の方向に沿って延びた所定長さを有する長孔形状であるとともに、所定深さを有する断面略Ｕ字状の第１の凹部、
該第１の凹部の他端に連接され、前記第１の凹部よりも所定に深底であるとともに、一の方向に略直交する方向に延びる所定長さの第１のスリット部、
一端が該第１のスリット部に連接され、一端から他端に向けて一の方向に沿って延びた所定長さを有する長孔形状であるとともに、深さが前記第１の凹部と略同じである断面略Ｕ字状の第２の凹部、
該第２の凹部の他端に連接され、前記第１のスリット部の深さと略同じであるとともに、一の方向に略直交する方向に延びる所定長さの第２のスリット部、
一端が該第２のスリット部に連接され、一端から他端に向けて一の方向に沿って延びた所定長さを有する長孔形状であるとともに、深さが前記第１の凹部と略同じである断面略Ｕ字状の第３の凹部が非磁性体のベース部材に形成された
シリンジホルダ。
【請求項２】
一端に第１のピストン部、他端に第１の操作部を有する第１のプランジャー部と、
一端に第１の小径孔部、他端に前記第１のピストン部が挿通される第１の大径孔部が形成された円筒状の第１のシリンダ部と、
一端に第２のピストン部、他端に第２の操作部を有する第２のプランジャー部と、
一端に第２の小径孔部、他端に前記第２のピストン部が挿通される第１の大径孔部が形成された円筒状の第２のシリンダ部と、
前記第１のシリンダ部の軸線方向に沿った長孔形状であり該第１のシリンダ部が収容される第１の凹部、該第１の凹部の長手方向に隣接し前記第１のプランジャー部と前記第２のプランジャー部の長手方向に沿った長孔形状であるとともに前記第１のプランジャー部と前記第２のプランジャー部が収容される第２の凹部、該第２の凹部の長手方向に隣接し前記第２のシリンダ部の軸線方向に沿った長孔形状であるとともに該第２のシリンダ部が収容される第３の凹部が非磁性体のベース部材に形成されたシリンジホルダと、
一端が前記第１のシリンダ部の前記第１の小径孔部に接続された可撓管と、を備える
薬液注入装置。
【請求項３】
一端に第１のピストン部、他端に第２のピストン部を含むプランジャー部と、
一端に第１の小径孔部、他端に前記第１のピストン部が挿通される第１の大径孔部が形成された円筒状の第１のシリンダ部と、
一端に第２の小径孔部、他端に前記第２のピストン部が挿通される第２の大径孔部が形成された円筒状の第２のシリンダ部と、
前記第１のシリンダ部の軸線方向に沿った長孔形状であり該第１のシリンダ部が収容される第１の凹部、該第１の凹部の長手方向に隣接し前記プランジャー部の長手方向に沿った長孔形状であるとともに前記プランジャー部が収容される第２の凹部、該第２の凹部の長手方向に隣接し前記第２のシリンダ部の軸線方向に沿った長孔形状であるとともに該第２のシリンダ部が収容される第３の凹部が非磁性体のベース部材に形成されたシリンジホルダと、
一端が前記第１のシリンダ部の前記第１の小径孔部と接続された可撓管と、を備える
薬液注入装置。
【請求項４】
前記第１のシリンダ部の他端には第１のフランジ部を含み、
前記シリンジホルダには、前記第１のフランジ部が嵌挿される第１のスリット部が形成され、
前記第１の凹部と前記第２の凹部は、前記第１のスリット部を介して連接されている
請求項２または請求項３に記載の薬液注入装置。
【請求項５】
前記第２のシリンダ部の他端には第２のフランジ部を含み、
前記シリンジホルダには、前記第２のフランジ部が嵌挿される第２のスリット部が形成され、
前記第２の凹部と前記第３の凹部は、前記第２のスリット部を介して連接されている
請求項２から請求項４の何れか一項に記載の薬液注入装置。
【請求項６】
前記第１の操作部と前記第２の操作部は、
前記第２の凹部内において互いに当接されている
請求項２、請求項４、請求項５の何れか一項に記載の薬液注入装置。
【請求項７】
前記可撓管の他端に接続されたシリンジポンプを有する
請求項２から請求項６の何れか一項に記載の薬液注入装置。
【請求項８】
前記シリンジポンプは、
一端に第３のピストン部、他端に第３の操作部を含む第３のプランジャー部と、
一端に流体が吐出される第３の小径孔部、他端に前記第３のピストン部が挿通される第３の大径孔部が形成された円筒状の第３のシリンダ部と、を有し、
前記第３の小径孔部に前記可撓管の他端が接続された
請求項２から請求項７の何れか一項に記載のシリンジ装置。
【請求項９】
シリンジポンプから駆動流体を吐出する駆動流体吐出工程と、
該駆動流体吐出工程で吐出した前記駆動流体を、可撓管を通じて円筒状の第１のシリンダ部の一端側に形成された第１の小径孔部に吸入する駆動流体吸入工程と、
前記第１のシリンダ部の他端側に形成された第１の大径孔部に挿通された第１のプランジャー部を、前記駆動流体により前記第１のシリンダ部の前記第１の小径孔部側から前記第１の大径孔部側に移動させる第１のプランジャー部移動工程と、
該第１のプランジャー部移動工程で移動した前記第１のプランジャー部により、円筒状の第２のシリンダ部内の一端側に形成された第２の大径孔部に挿通された第２のプランジャー部を押圧する第２のプランジャー部押圧工程と、
該第２のプランジャー部押圧工程で押圧した前記第２のプランジャー部を前記第２のシリンダ部の前記第２の大径孔部側から前記第２のシリンダ部の他端に形成された第２の小径孔部側に移動させる第２のプランジャー部移動工程と、
該第２のプランジャー部移動工程で移動した前記第２のプランジャー部により、前記第２のシリンダ部内に充填されている薬液を前記第２の小径孔部から吐出する薬液吐出工程と、を備える
薬液注入装置の使用方法。
【請求項１０】
シリンジポンプから駆動流体を吐出する駆動流体吐出工程と、
該駆動流体吐出工程で吐出した前記駆動流体を、可撓管を通じて円筒状の第１のシリンダ部の一端側に形成された第１の小径孔部に吸入する駆動流体吸入工程と、
一端が前記第１のシリンダ部の他端側に形成された第１の大径孔部に挿通され、他端が円筒状の第２のシリンダ部の一端側に形成された第２の大径孔部に挿通されたプランジャー部を、前記駆動流体により前記第１のシリンダ部側から前記第２のシリンダ部側に移動させるプランジャー部移動工程と、
該プランジャー部移動工程で移動させた前記プランジャー部により、前記第２のシリンダ部内に充填されている薬液を、前記第２のシリンダ部の他端側に形成された第２の小径孔部から吐出する薬液吐出工程と、を備える
薬液注入装置の使用方法。
【発明の詳細な説明】
【技術分野】
【０００１】
本発明は、シリンジホルダ、薬液注入装置、および薬液注入装置の使用方法に関する。詳しくは、高価な駆動装置を必要とせず、ＭＲＩ装置などの磁場環境下においても、磁場を乱すことなく使用することができるシリンジホルダ、薬液注入装置、および薬液注入装置の使用方法に係るものである。
【背景技術】
【０００２】
従来より、医療用の画像診断装置としては、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、アンギオ装置、およびＭＲＡ（ＭＲＡｎｇｉｏ）装置などがある。これらの装置を使用して被験者の透視画像を撮像する際には、造影剤、生理食塩水、または睡眠剤などの一定量の薬液をシリンジポンプにより注入することが多い。
【０００３】
しかし、一般的な注入用のシリンジポンプは、磁性体のモーター等を使用しているので、例えば強磁場環境のＭＲＩ装置に近づけると、シリンジポンプが強い力で引き寄せられ、危険である。また、ポンプの磁性体は、ＭＲＩ装置の磁場を乱し、ポンプの電場は、ＭＲＩ装置の検出信号に電気ノイズを与えることから、ＭＲＩ装置の近くに設置できないという問題を有している。
【０００４】
そのため、従来においては、汎用品としての磁性体からなるシリンジポンプを使用する場合には、ＭＲＩ装置の磁場への影響を回避するために、ＭＲＩ装置の設置された検査室からは遠く離れたＭＲＩの磁場環境外から、注入針のチューブを伸ばして被験者に対して薬液を注入するという方法が行われていた。
【０００５】
しかしながら、この方法によると、シリンジポンプから注入針までのチューブの長さが非常に長くなってしまい、チューブに溜まった薬液の量だけ無駄が発生することになる。特に、ＭＲＩにおける検査で使用する薬液は高価なものが多く、極めて非効率なものとなっていた。さらに、チューブ内に溜まった薬液の排出作業も、作業者にとって大きな負担となっていた。
【０００６】
このような問題に対して、特許文献１には、磁場環境で使用するためのシリンジポンプが開示されている。
【０００７】
具体的には図７に示すように、シリンジ１０２のシリンダ部１０３を保持するシリンジホルダ１０４と、供給される電力に対応して動力を発生する駆動モーターと、保持されたシリンジ１０２のピストン１０５を駆動モーターの動力でスライドさせるスライダー機構１０６とを、それぞれ磁場を発生しない非磁性体で構成するシリンジポンプ１０１が開示されている。
【先行技術文献】
【特許文献】
【０００８】
【特許文献１】特開２００３−２９０３４８号公報
【発明の概要】
【発明が解決しようとする課題】
【０００９】
前記の特許文献１に記載のシリンジポンプによれば、全体が非磁性体であるため、ＭＲＩ室において使用したとしても、シリンジポンプがＭＲＩ装置の磁場に引き寄せられたり、ＭＲＩ装置の磁場を乱したりするおそれはない。しかしながら、特許文献１のシリンジポンプは非磁性体材料として燐青銅合金、チタン合金、マグネシウム合金が使用されており、シリンジポンプ自体が高価になるとともに、その製造においても複雑な工程を経て製造されるため製造コストも非常に高いものとなっていた。
【００１０】
本発明は、以上の点に鑑みて創案されたものであり、高価な駆動装置を必要とせず、ＭＲＩ装置などの磁場環境下においても、磁場を乱すことなく使用することができるシリンジホルダ、薬液注入装置、および薬液注入装置の使用方法を提供することを目的とするものである。
【課題を解決するための手段】
【００１１】
前記の目的を達成するために、本発明のシリンジホルダは、一端から他端に向けて一の方向に沿って延びた所定長さを有する長孔形状であるとともに、所定深さを有する断面略Ｕ字状の第１の凹部、該第１の凹部の他端に連接され、前記第１の凹部よりも所定に深底であるとともに、一の方向に略直交する方向に延びる所定長さの第１のスリット部、一端が該第１のスリット部に連接され、一端から他端に向けて一の方向に沿って延びた所定長さを有する長孔形状であるとともに、深さが前記第１の凹部と略同じである断面略Ｕ字状の第２の凹部、該第２の凹部の他端に連接され、前記第１のスリット部の深さと略同じであるとともに、一の方向に略直交する方向に延びる所定長さの第２のスリット部、一端が該第２のスリット部に連接され、一端から他端に向けて一の方向に沿って延びた所定長さを有する長孔形状であるとともに、深さが前記第１の凹部と略同じである断面略Ｕ字状の第３の凹部が非磁性体のベース部材に形成されている。
【００１２】
ここで、一端から他端に向けて一の方向に沿って延びた所定長さを有する長孔形状であるとともに、所定深さを有する断面略Ｕ字状の第１の凹部がベース部材に形成されていることにより、例えば保持すべき第１のシリンジのシリンダを第１の凹部に嵌挿することができる。
【００１３】
また、第１の凹部の他端に連接され、第１の凹部よりも所定に深底であるとともに、一の方向に略直交する方向に延びる所定長さの第１のスリット部がベース部材に形成さていることにより、例えば保持すべき一方のシリンジのシリンダ部の一端に設けられたフランジ部をこの第１のスリット部に嵌挿することができる。
【００１４】
また、一端が該第１のスリット部に連接され、一端から他端に向けて一の方向に沿って延びた所定長さを有する長孔形状であるとともに、深さが第１の凹部と略同じである断面略Ｕ字状の第２の凹部がベース部材に形成されていることにより、例えば保持すべき一方のシリンジのプランジャー部、および他方のシリンダのプランジャー部のそれぞれを、第２の凹部に嵌挿することができる。
【００１５】
また、第２の凹部の他端に連接され、第１のスリット部の深さと略同じであるとともに、一の方向に略直交する方向に延びる所定長さの第２のスリット部がベース部材に形成されていることにより、例えば保持すべき他方のシリンジのシリンダ部の一端に設けられたフランジ部をこの第２のスリット部に嵌挿することができる。
【００１６】
また、一端が第２のスリット部に連接され、一端から他端に向けて一の方向に沿って延びた所定長さを有する長孔形状であるとともに、深さが第１の凹部と略同じである断面略Ｕ字状の第３の凹部がベース部材に形成されていることにより、例えば保持すべき他方のシリンジのシリンダ部を第３の凹部に嵌挿することができる。
【００１７】
また、ベース部材が非磁性体であることにより、ベース部材によりＭＲＩ装置の磁場が影響を受けることはないため、ＭＲＩ装置の近くにベース部材を設置することができる。
【００１８】
前記の目的を達成するために、本発明の薬液注入装置は、一端に第１のピストン部、他端に第１の操作部を有する第１のプランジャー部と、一端に第１の小径孔部、他端に前記第１のピストン部が挿通される第１の大径孔部が形成された円筒状の第１のシリンダ部と、一端に第２のピストン部、他端に第２の操作部を有する第２のプランジャー部と、一端に第２の小径孔部、他端に前記第２のピストン部が挿通される第１の大径孔部が形成された円筒状の第２のシリンダ部と、前記第１のシリンダ部の軸線方向に沿った長孔形状であり該第１のシリンダ部が収容される第１の凹部、該第１の凹部の長手方向に隣接し前記第１のプランジャー部と前記第２のプランジャー部の長手方向に沿った長孔形状であるとともに前記第１のプランジャー部と前記第２のプランジャー部が収容される第２の凹部、該第２の凹部の長手方向に隣接し前記第２のシリンダ部の軸線方向に沿った長孔形状であるとともに該第２のシリンダ部が収容される第３の凹部が非磁性体のベース部材に形成されたシリンジホルダと、一端が前記第１のシリンダ部の前記第１の小径孔部に接続された可撓管とを備える。
【００１９】
ここで、一端に第１のピストン部、他端に第１の操作部を有する第１のプランジャー部を備えることにより、後述する第１のシリンダ部内において第１のプランジャー部を、押し引き操作により移動させることができる。
【００２０】
また、第１のシリンダ部の一端に第１の小径孔部が形成されていることにより、例えば、外部から第１の小径孔部を通じて第１のシリンダ部内に第１のプランジャー部を移動させるための駆動流体を吸入させることができる。
【００２１】
また、第１のシリンダ部の他端に第１のピストン部が挿通される第１の大径孔部が形成されていることにより、第１の大径孔部に第１のピストン部を挿通し、第１のピストン部を第１のシリンダ部内において摺動させることができる。
【００２２】
また、一端に第２のピストン部、他端に第２の操作部を有する第２のプランジャー部を備えることにより、後述する第２のシリンダ部内において第２のプランジャー部を、押し引き操作により移動させることができる。
【００２３】
また、第２のシリンダ部の一端に第２の小径孔部が形成されていることにより、例えば、第２のシリンダ部内に充填されている流体を外部に向けて吐出させることができる。
【００２４】
また、第２のシリンダ部の他端に第２のピストン部が挿通される第２の大径孔部が形成されていることにより、第２の大径孔部に第２のピストン部を挿通し、第２のピストン部を第２のシリンダ部内において摺動させ、第２のシリンダ部内に充填されている流体を外部に吐出させることができる。
【００２５】
また、ベース部材に、第１のシリンダ部の軸線方向に沿った長孔形状であり第１のシリンダ部が収容される第１の凹部が形成されていることにより、第１の凹部に第１のシリンダ部を嵌挿し保持することができる。
【００２６】
また、ベース部材に第１の凹部の長手方向に隣接し第１のプランジャー部と第２のプランジャー部の長手方向に沿った長孔形状であるとともに、第１のプランジャー部と第２のプランジャー部が収容される第２の凹部が形成されていることにより、第２の凹部に第１のプランジャー部と第２のプランジャー部を嵌挿し保持することができる。
【００２７】
また、ベース部材に第２の凹部の長手方向に隣接し第２のシリンダ部の軸線方向に沿った長孔形状であるとともに第２のシリンダ部が収容される第３の凹部が形成されていることにより、第３の凹部に第２のシリンダ部を嵌挿し保持することができる。
【００２８】
また、ベース部材が非磁性体であることにより、ベース部材によりＭＲＩ装置の磁場が影響を受けることはないため、ＭＲＩ装置の近くにベース部材を設置することができる。
【００２９】
また、一端が第１のシリンダ部の第１の小径孔部と接続された可撓管を備える場合には、可撓管から第１のシリンダ部の第１の小径孔部を通じて第１のシリンダ部内に流体を吸入させることができる。
【００３０】
前記の目的を達成するために、本発明の薬液注入装置は、一端に第１のピストン部を含み、他端に第２のピストン部を含むプランジャー部と、一端に流体が吸入される第１の小径孔部が形成され、他端に前記第１のピストン部が挿通される第１の大径孔部が形成された円筒状の第１のシリンダ部と、一端に流体が吐出される第２の小径孔部が形成され、他端に前記第２のピストン部が挿通される第２の大径孔部が形成された円筒状の第２のシリンダ部と、前記第１のシリンダ部の軸線方向に沿った長孔形状であり該第１のシリンダ部が収容される第１の凹部、該第１の凹部の長手方向に隣接し前記プランジャー部の長手方向に沿った長孔形状であるとともに前記プランジャー部が収容される第２の凹部、該第２の凹部の長手方向に隣接し前記第２のシリンダ部の軸線方向に沿った長孔形状であるとともに該第２のシリンダ部が収容される第３の凹部が非磁性体のベース部材に形成されたシリンジホルダと、一端が前記第１のシリンダ部の前記第１の小径孔部と接続された可撓管とを備える。
【００３１】
ここで、一端に第１のピストン部を含み、他端に第２のピストン部を含むプランジャー部を有することにより、後述する第１のシリンダ部、および第２のシリンダ部内を第１のピストン部、および第２のピストン部を摺動させることができる。
【００３２】
また、第１のシリンダ部の一端に第１の小径孔部が形成されていることにより、例えば、外部から第１の小径孔部を通じて第１のシリンダ部内にプランジャー部を移動させるための駆動流体を吸入させることができる。
【００３３】
また、第１のシリンダ部の他端に第１のピストン部が挿通される第１の大径孔部が形成されていることにより、第１の大径孔部に第１のピストン部を挿通し、第１のピストン部を第１のシリンダ部内において摺動させることができる。
【００３４】
また、第２のシリンダ部の一端に第２の小径孔部が形成されていることにより、第２のシリンダ部内に充填されている流体を外部に対して吐出させることができる。
【００３５】
また、第２のシリンダ部の他端に第２のピストン部が挿通される第２の大径孔部が形成されていることにより、第２の大径孔部に第２のピストンを挿通し、第２のピストン部を第２のシリンダ部内において摺動させ、第２のシリンダ部内に充填されている流体を外部に吐出させることができる。
【００３６】
また、ベース部材に第１のシリンダ部の軸線方向に沿った長孔形状であり該第１のシリンダ部が収容される第１の凹部が形成されていることにより、第１の凹部に第１のシリンダ部を嵌挿し保持することができる。
【００３７】
また、ベース部材に第１の凹部の長手方向に隣接しプランジャー部の長手方向に沿った長孔形状であるとともにプランジャー部が収容される第２の凹部が形成されていることにより、第２の凹部にプランジャー部を嵌挿し保持することができる。
【００３８】
また、ベース部材に第２の凹部の長手方向に隣接し第２のシリンダ部の軸線方向に沿った長孔形状であるとともに第２のシリンダ部が収容される第３の凹部が形成されていることにより、第３の凹部に第２のシリンダ部を嵌挿し保持することができる。
【００３９】
また、ベース部材が非磁性体であることにより、ベース部材をＭＲＩ装置の近傍においても、ＭＲＩ装置の磁場が影響を受けることはない。
【００４０】
また、一端が第１のシリンダ部の第１の小径孔部と接続された可撓管を備えることにより、可撓管から第１のシリンダ部の第１の小径孔部を通じて第１のシリンダ部内に流体を吸入させることができる。
【００４１】
また、第１のシリンダ部の他端には第１のフランジ部を含み、シリンジホルダには、この第１のフランジ部が嵌挿される第１のスリット部が形成されている場合には、第１のフランジ部が第１のスリット部に嵌挿されて保持されるため、第１のシリンダ部の軸線方向の移動が規制され、第１のシリンダ部のシリンジホルダへの固定がより強固なものとなる。
【００４２】
また、第１の凹部と第２の凹部が、第１のスリット部を介して連接されている場合には、第１の凹部、第２の凹部、および第１のスリット部を一体的に形成することができるため、その加工が容易なものとなる。
【００４３】
また、第２のシリンダ部の他端には第１のフランジ部を含み、シリンジホルダには、この第２のフランジ部が嵌挿される第２のスリット部が形成されている場合には、第２のフランジ部が第２のスリット部に嵌挿されて保持されるため、第２のシリンダ部の軸線方向の移動が規制され、第２のシリンダ部のシリンジホルダへの固定がより強固なものとなる。
【００４４】
また、第２の凹部と第３の凹部が、第２のスリット部を介して連接されている場合には、第２の凹部、第３の凹部、および第２のスリット部を一体的に形成することができるため、その加工が容易なものとなる。
【００４５】
また、第１の操作部と第２の操作部が、第２の凹部内において互いに当接されている場合には、第１の操作部により第２の操作部を押圧して、第２のプランジャー部の押圧操作が容易なものとなる。
【００４６】
また、可撓管の他端に接続されたシリンジポンプを有する場合には、シリンジポンプから送られる流体を、可撓管を通じて第１のシリンダ部内に送り込むことができる。
【００４７】
また、シリンジポンプが、一端に第３のピストン部、他端に第３の操作部を含む第３のプランジャー部と、一端に流体が吸入される第３の小径孔部、他端に前記第３のプランジャー部が挿通される第３の大径孔部が形成された円筒状の第３のシリンダ部を有し、第３の小径孔部に可撓管の他端が接続されている場合には、簡単な操作により、シリンジポンプから、可撓管を通じて第１のシリンダ部内に流体を送り込むことができる。
【００４８】
前記の目的を達成するために、本発明の薬液注入装置の使用方法は、シリンジポンプから駆動流体を吐出する駆動流体吐出工程と、該駆動流体吐出工程で吐出した前記駆動流体を、可撓管を通じて円筒状の第１のシリンダ部の一端側に形成された第１の小径孔部に吸入する駆動流体吸入工程と、前記第１のシリンダ部の他端側に形成された第１の大径孔部に挿通された第１のプランジャー部を、前記駆動流体により前記第１のシリンダ部の前記第１の小径孔部側から前記第１の大径孔部側に移動させる第１のプランジャー部移動工程と、該第１のプランジャー部移動工程で移動した前記第１のプランジャー部により、円筒状の第２のシリンダ部内の一端側に形成された第２の大径孔部に挿通された第２のプランジャー部を押圧する第２のプランジャー部押圧工程と、該第２のプランジャー部押圧工程で押圧した前記第２のプランジャー部を前記第２のシリンダ部の前記第２の大径孔部側から前記第２のシリンダ部の他端に形成された第２の小径孔部側に移動させる第２のプランジャー部移動工程と、該第２のプランジャー部移動工程で移動した前記第２のプランジャー部により、前記第２のシリンダ部内に充填されている薬液を前記第２の小径孔部から吐出する薬液吐出工程とを備える。
【００４９】
ここで、シリンジポンプから駆動流体を吐出する駆動流体吐出工程を備えることにより、シリンジポンプに充填されている駆動流体を外部に吐出させることができる。
【００５０】
また、駆動流体吐出工程で吐出した前記駆動流体を、可撓管を通じて円筒状の第１のシリンダ部の一端側に形成された第１の小径孔部に吸入する駆動流体吸入工程を備えることにより、シリンジポンプから吐出された駆動流体を、可撓管を通じて第１のシリンダ部内に吸入させることができる。
【００５１】
また、第１のシリンダ部の他端側に形成された第１の大径孔部に挿通された第１のプランジャー部を、駆動流体により第１のシリンダ部の第１の小径孔部側から第１の大径孔部側に移動させる第１のプランジャー部移動工程を備えることにより、駆動流体により第１のプランジャー部を第１のシリンダ部の第１の小径孔部側から第１の大径孔部側に向けて移動させることができる。
【００５２】
また、第１のプランジャー部移動工程で移動した前記第１のプランジャー部により、円筒状の第２のシリンダ部内の一端側に形成された第２の大径孔部に挿通された第２のプランジャー部を押圧する第２のプランジャー部押圧工程を備えることにより、第１のプランジャー部で第２のプランジャー部を押圧することができる。
【００５３】
また、第２のプランジャー部押圧工程で押圧した第２のプランジャー部を第２のシリンダ部の第２の大径孔部側から第２のシリンダ部の他端に形成された第２の小径孔部側に移動させる第２のプランジャー部移動工程を備えることにより、第２のプランジャー部を第２のシリンダ部の第２の大径部孔部側から第２の小径部孔部側に移動させることができる。
【００５４】
また、第２のプランジャー部移動工程で移動した第２のプランジャー部により、第２のシリンダ部内に充填されている薬液を第２の小径孔部から吐出する薬液吐出工程を備えることにより、第２のプランジャーにより第２のシリンダ部内に充填されている薬液を外部に吐出させることができる。
【００５５】
前記の目的を達成するために、本発明の薬液注入装置の使用方法は、シリンジポンプから駆動流体を吐出する駆動流体吐出工程と、該駆動流体吐出工程で吐出した前記駆動流体を、可撓管を通じて円筒状の第１のシリンダ部の一端側に形成された第１の小径孔部に吸入する駆動流体吸入工程と、一端が前記第１のシリンダ部の他端側に形成された第１の大径孔部に挿通され、他端が第２のシリンダ部の一端側に形成された第２の大径孔部に挿通されたプランジャー部を、前記駆動流体により前記第１のシリンダ部側から前記第２のシリンダ部側に移動させるプランジャー部移動工程と、該プランジャー部移動工程で移動させた前記プランジャー部により、前記第２のシリンダ部内に充填されている薬液を、前記第２のシリンダ部の他端側に形成された第２の小径孔部から吐出する薬液吐出工程とを備える。
【００５６】
ここで、シリンジポンプから駆動流体を吐出する駆動流体吐出工程を備えることにより、シリンジポンプに充填されている駆動流体を外部に吐出させることができる。
【００５７】
また、駆動流体吐出工程で吐出した駆動流体を、可撓管を通じて円筒状の第１のシリンダ部の一端側に形成された第１の小径孔部に吸入する駆動流体吸入工程を備えることにより、シリンジポンプから吐出された駆動流体を、可撓管を通じて、第１のシリンダ部内に吸入させることができる。
【００５８】
また、一端が第１のシリンダ部の他端側に形成された第１の大径孔部に挿通され、他端が第２のシリンダ部の一端側に形成された第２の大径孔部に挿通されたプランジャー部を、駆動流体により第１のシリンダ部側から第２のシリンダ部側に移動させるプランジャー部移動工程を備えることにより、駆動流体が第１のシリンダ部内に流入するにしたがって、プランジャー部を第１のシリンダ部側から第２のシリンダ部側に徐々に移動させることができる。
【００５９】
また、プランジャー部移動工程で移動させたプランジャー部により、第２のシリンダ部内に充填されている薬液を、第２のシリンダ部の他端側に形成された第２の小径孔部から吐出する薬液吐出工程を備えることにより、第２のシリンダ部内に充填されている薬液を外部に吐出させることができる。
【発明の効果】
【００６０】
本発明に係るシリンジホルダ、薬液注入装置、および薬液注入装置の使用方法は、高価な駆動装置を必要とせず、ＭＲＩ装置などの磁場環境下においても、磁場を乱すことなく使用することができるものとなっている。
【図面の簡単な説明】
【００６１】
【図１】本発明の実施形態に係る薬液注入装置の斜視図である。
【図２】図１に示す薬液注入装置の平面図である。
【図３】本発明の実施形態に係るシリンジホルダの平面図である。
【図４】本発明の実施形態に係る薬液注入装置の使用方法を示す図である。
【図５】他の実施形態に係る薬液注入装置の平面図である。
【図６】他の実施形態に係る薬液注入装置の使用方法を示す図である。
【図７】従来技術を示す図である。
【発明を実施するための形態】
【００６２】
以下、シリンジホルダ、薬液注入装置、および薬液注入装置使用方法に係る本発明の実施の形態について、図面を参照しながら説明し、本発明の理解に供する。なお、各図において説明の便宜上、薬液注入装置１を設置面に設置した状態において、薬液注入装置１の設置面から上部に向かう方向を上方向、上方向の反対方向を下方向、上方向および下方向により表される軸方向を鉛直方向、鉛直方向と垂直な軸方向を水平方向とそれぞれ定義する。
【００６３】
まず、本発明の実施形態に係る薬液注入装置１の全体構成について、図１、図２を用いて説明する。薬液注入装置１は主に、第１のシリンジ２、および第２のシリンジ３がシリンジホルダ４に嵌挿されているとともに、第１のシリンジ２に可撓管５を介して接続されるシリンジポンプ６から構成されている。
【００６４】
第１のシリンジ２は、一端に第１の小径孔部２１１、他端に第１の大径孔部２１２が形成されるとともに、第１のフランジ部２１３を有する略円筒状の第１のシリンダ部２１と、一端に第１のピストン部２２１が設けられ、他端に第１の操作部２２２が設けられた第１のプランジャー部２２から構成されている。
【００６５】
第１のシリンジ２の第１の大径孔部２１２には、第１のプランジャー部２２の一端に設けられた第１のピストン部２２１が挿入されるとともに、この第１のピストン部２２１は第１のシリンダ部２１内を密着しながら摺動自在なものとなっている。
【００６６】
ここで、必ずしも、第１のシリンダ部２１は第１のフランジ部２１３を有している必要はない。但し、第１のフランジ部２１３を有することにより、第１のシリンジ２のシリンジホルダ４への固定がより強固なものとなる。従って、第１のシリンジ２を操作する場合においても、第１のシリンジ２がシリンジホルダ４から離脱する虞がないため、第１のフランジ部２１３は有していることが好ましい。
【００６７】
第２のシリンジ３は、第１のシリンジ２と略同一形状である。即ち、一端に第２の小径孔部３１１、他端に第２の大径孔部３１２が形成されるとともに、第２のフランジ部３１３を有する略円筒状の第２のシリンダ部３１と、一端に第２のピストン部３２１が設けられ、他端に第２の操作部３２２が設けられた第２のプランジャー部３２から構成されている。
【００６８】
第２のシリンジ３の第２の大径孔部３１２には、第２のプランジャー部３２の一端に設けられた第２のピストン部３２１が挿入されるとともに、この第２のピストン部３２１は第２のシリンダ部３１内を密着しながら摺動自在なものとなっている。
【００６９】
ここで、必ずしも、第２のシリンダ部３１は第２のフランジ部３１３を有している必要はない。但し、第２のフランジ部３１３を有することにより、第２のシリンジ３のシリンジホルダ４への固定がより強固なものとなる。従って、第２のシリンジ３を操作する場合においても、第２のシリンジ３がシリンジホルダ４から離脱する虞がないため、第２のフランジ部３１３は有していることが好ましい。
【００７０】
シリンジホルダ４は、陶磁器、または樹脂材料等の非磁性体材料からなり、図３に示すように、略直方体形状をしたベース部材４１の上面略中央部分に断面略Ｕ字状の凹部４２が形成されている。凹部４２は、第１の凹部４２１、第１のスリット部４２２、第２の凹部４２３、第２のスリット部４２４、第３の凹部４２５が一方向にベース部材４１の一端から他端にかけて一直線状に連接するように形成されている。
【００７１】
ここで、必ずしも、シリンジホルダ４は陶磁器、または樹脂材料から構成されている必要はない。ＭＲＩ装置の近くに設置しても磁場に影響を与えない非磁性体材料であれば、どのような材質であってもよい。
【００７２】
また、必ずしも、ベース部材４１は略直方体形状である必要はない。立方体形状等、設置した際に安定する形状であれば、どのような形状であってもよい。
【００７３】
また、必ずしも、凹部４２はベース部材４１の上面略中央部分に形成されている必要はない。凹部４２の形成される位置は、適宜変更することができる。
【００７４】
第１の凹部４２１には第１のシリンダ部２１、第１のスリット部４２２には第１のフランジ部２１３、第２のスリット部４２４には第２のフランジ部３１３、第３の凹部４２５には第２のシリンダ部３１がそれぞれ嵌挿されている。そして、第１のスリット部４２２に嵌挿された第１のフランジ部２１３により第１のシリンダ部２１の軸方向への移動が規制され、第２のスリット部４２４に嵌挿された第２のフランジ部３１３により第２のシリンダ部３１の軸方向への移動が規制されるようになっている。また、第２の凹部４２３には、第１のプランジャー部２２の第１の操作部２２２と、第２のプランジャー部３２の第２の操作部３２２が互いに向き合うように当接した状態で嵌挿される。
【００７５】
ここで、必ずしも、第１の操作部２２２と第２の操作部３２２は互いに当接した状態において、第２の凹部４２３に嵌挿されている必要はない。第１の操作部２２２と第２の操作部３２２が所定のクリアランスを有した状態で、第２の凹部４２３に嵌挿されていてもよい。
【００７６】
可撓管５は、一端が第１のシリンダ部２１の第１の小径孔部２１１に接続され、他端が後述するシリンジポンプ６に接続された、ナイロン製のチューブである。
【００７７】
ここで、必ずしも、可撓管５はナイロン製である必要はない。医療用チューブとして使用されるものであれば、ポリウレタン、シリコーンゴム、ＰＰ、ＦＥＰ等の公知の材料から適宜選択することができる。
【００７８】
シリンジポンプ６は、シリンジポンプ本体６１と、シリンジポンプ本体６１に装着された第３のシリンジ６２から構成されている。第３のシリンジ６２は第１のシリンジ２、および第２のシリンジ３と略同じ形状である。即ち、第３のシリンジ６２は、一端に第３の小径孔部６２１ａ、他端に第３の大径孔部６２１ｂが形成されるとともに、第３のフランジ部６２１ｃを有する略円筒状の第３のシリンダ部６２１と、一端に第３のピストン部６２２ａが設けられ、他端に第３の操作部６２２ｂが設けられた第３のプランジャー部６２２から構成されている。
【００７９】
シリンジポンプ本体６１は、第３のシリンダ部６２１に充填されている駆動流体（例えば水）を、可撓管５を介して第１のシリンジ２の第１のシリンダ部２１へ、時間当たりの吐出量が適量となるように、少量ずつ吐出させるための機器である。
【００８０】
次に、以上のように構成された薬液注入装置の使用方法を、図４を用いて説明する。
【００８１】
まず、図４（ａ）に示すように、第３のシリンジ６２に駆動流体Ｗとしての水が充填されている状態で、第３のシリンジ６２をシリンジポンプ本体６１にセットする。
【００８２】
また、シリンジホルダ４には、駆動流体Ｗが一定量充填されている第１のシリンジ２を第１の凹部４２１、第１のスリット部４２２、および第２の凹部４２３に嵌挿する。さらに、被験者に注入するための目的に応じた薬液Ｄが充填されている第２のシリンジ３を第２の凹部４２３、第２のスリット部４２４、および第３の凹部４２５に嵌挿する。そして、第１のシリンジ２と第３のシリンジ６２を可撓管５で接続して、薬液注入装置１の使用前におけるセットが完了する。
【００８３】
このようにセットされた薬液注入装置１においては、まず、図４（ｂ）に示すように、シリンジポンプ６から駆動流体Ｗが可撓管５へ吐出され、第１のシリンジ２の第１の小径孔部２１１から第１のシリンダ部２１内に吸入される。
【００８４】
シリンジポンプ６からの駆動流体Ｗが第１のシリンダ部２１に吸入されると、第１のシリンダ部２１内に吸入される駆動流体Ｗの量が増え、それに従って第１のプランジャー部２２の第１のピストン部２２１が第１のシリンダ部２１内を第１の大径孔部２１２側に向けて摺動する。
【００８５】
第１のプランジャー部２２の移動に伴い、第１の操作部２２２により第２の操作部３２２が押圧され、第２のプランジャー部３２の第２のピストン部３２１が第２のシリンダ部３１内を第２の大径孔部３１２から第２の小径孔部３１１側に向けて摺動し、注射針７から第２のシリンダ部３１に充填されている薬液Ｄが、図示しない被験者の体内に少量ずつ注入される。
【００８６】
そして、図４（ｃ）に示すように、第２のピストン部３２１が第２の小径孔部３１１側に当接するまで摺動することで、被験者に対して必要量となる薬液Ｄが全て注入され、薬液注入装置１による薬液Ｄの注入が完了する。
【００８７】
ここで、必ずしも、駆動流体Ｗとして水を使用する必要はない。但し、水は安価であるため、たとえ可撓管５内に駆動流体Ｗが余剰として残ったとしても、駆動流体の無駄を最小限に抑えることができる。
【００８８】
次に、本発明における他の実施形態に係る薬液注入装置１´について図５を用いて説明する。図５は、他の実施形態に係る薬液注入装置１´の平面図であり、同図中、前述した実施形態に係る薬液注入装置１と共通する部品については、同一の符号を表示している。
【００８９】
この実施形態に係る薬液注入装置１´は、前述した実施形態に係る薬液注入装置１の部品のうち、第１のプランジャー部２２、第２のプランジャー部３２を一体化にして簡略化したものである。即ち、第２の凹部４２３に嵌挿されたプランジャー部２２´は、一端に第１のシリンダ部２１の第１の大径孔部２１２に挿入される第１のピストン部２２１を有し、他端に第２のシリンダ部３１の第２の大径孔部３１２に挿入される第２のピストン部３２１を有している。
【００９０】
これにより、第１のプランジャー部２２と第２のプランジャー部３２のそれぞれを準備する必要がなく、１つのプランジャー部２２´により、第１のシリンダ部２１、第２のシリンダ部３１の軸方向への摺動が可能となる。
【００９１】
次に、この他の実施形態に係る薬液注入装置１´の使用方法を、図６を用いて説明する。前述した実施形態に係る薬液注入装置１と同様に、まず、図６（ａ）に示すように、第３のシリンジ６２に駆動流体Ｗとしての水が充填されている状態で、第３のシリンジ６２をシリンジポンプ本体６１にセットする。
【００９２】
また、シリンジホルダ４には、駆動流体Ｗが所定の量だけ充填されている第１のシリンダ部２１を第１の凹部４２１に嵌挿し、第１のフランジ部２１３を第１のスリット部４２２に嵌挿する。また、被験者に注入するための目的に応じた所定量の薬液Ｄが充填されている第２のシリンダ部３１を第２の凹部４２３に嵌挿し、第２のフランジ部３１３を第２のスリット部４２４に嵌挿する。このとき、第１のシリンダ部２１、および第２のシリンダ部３１の双方に第１のピストン部２２１と第２のピストン部３２１が挿通されたプランジャー部２２´が第２の凹部４２３に嵌挿されることになる。そして、第１のシリンジ２と第３のシリンジ６２を可撓管５で接続して、薬液注入装置１の使用前におけるセットが完了する。
【００９３】
このようにセットされた薬液注入装置１においては、図６（ｂ）に示すように、シリンジポンプ６から駆動流体Ｗが可撓管５へ吐出され、第１のシリンジ２の第１の小径孔部２１１から第１のシリンダ部２１内に吸入される。
【００９４】
シリンジポンプ６からの駆動流体Ｗが第１のシリンダ部２１に吸入されると、第１のシリンダ部２１内に吸入される駆動流体Ｗの量が増え、それに従ってプランジャー部２２´の第１のピストン部２２１が第１のシリンダ部２１内を第１の大径孔部２１２側に向けて摺動する。
【００９５】
プランジャー部２２´の移動に伴い、第２のシリンダ３１に挿通されている第２のピストン部３２１が第２のシリンダ３１内を第２の大径孔部３１２側から第２の小径孔部３１１側に移動し、第２のシリンダ３１内に充填されている薬液Ｄが、図示しない被験者の体内に少量ずつ注入される。
【００９６】
そして、図６（ｃ）に示すように、第２のピストン部３２１が第２の小径孔部３１１側に当接するまで摺動することで、被検者に対して必要量となる薬液Ｄが全て注入され、薬液注入装置１´による薬液Ｄの注入が完了する。
【００９７】
以上、本発明に係るシリンジホルダ、薬液注入装置、および薬液注入装置の使用方法は、高価な駆動装置を必要とせず、ＭＲＩ装置などの磁場環境下においても、磁場を乱すことなく使用することができるものとなっている。
【００９８】
１、１´      薬液注入装置
２      第１のシリンジ
２１      第１のシリンダ部
２１１      第１の小径孔部
２１２      第１の大径孔部
２１３      第１のフランジ部
２２      第１のプランジャー部
２２１      第１のピストン部
２２２      第１の操作部
２２´      プランジャー部
３      第２のシリンジ
３１      第２のシリンダ部
３１１      第２の小径孔部
３１２      第２の大径孔部
３１３      第２のフランジ部
３２      第２のプランジャー部
３２１      第２のピストン部
３２２      第２の操作部
４      シリンジホルダ
４１      ベース部材
４２      凹部
４２１      第１の凹部
４２２      第１のスリット部
４２３      第２の凹部
４２４      第２のスリット部
４２５      第３の凹部
５      可撓管
６      シリンジポンプ
６１      シリンジポンプ本体
６２      第３のシリンジ
６２１      第３のシリンダ部
６２１ａ      第３の小径孔部
６２１ｂ      第３の大径孔部
６２１ｃ      第３のフランジ部
６２２      第３のプランジャー部
６２２ａ      第３のピストン部
６２２ｂ      第３の操作部
７      注射針
Ｗ      駆動流体
Ｄ      薬液
【図１】
2018122034.tif 000003
【図２】
2018122034.tif 000004
【図３】
2018122034.tif 000005
【図４】
2018122034.tif 000006
【図５】
2018122034.tif 000007
【図６】
2018122034.tif 000008
【図７】
2018122034.tif 000009